(57)【特許請求の範囲】
【請求項１】
水平投影面において乗場側昇降路側壁とかごとの間で、乗場の敷居の上記かご側端部よりも上記乗場側昇降路側壁側に上記乗場の敷居と並んで配置された状態で、最下階と最上階との間の上記乗場側昇降路側壁に設けられ、上記かご側に開口を有し、内部に、上記かごの昇降を制御する制御機器が収納された箱体と、
水平投影面において上記箱体と上記かごとの間に配置された状態で、上記かご側から上記箱体の上記開口を覆い、一部に、上記かご側から上記箱体内部側に貫通する小窓を有した蓋体と、
水平投影面において上記かごよりも上記昇降路側壁側に配置された状態で、上記蓋体の鉛直面に沿って開閉自在に設けられ、開状態のときは、上記かご側に上記制御機器を露出させ、閉状態のときは、上記かご側から上記制御機器を覆う扉と、
を備えたことを特徴とするエレベータの制御装置。
【請求項２】
上記扉は、上下移動可能に設けられ、自重によって閉じることを特徴とする請求項１に記載のエレベータの制御装置。
【発明の詳細な説明】
【０００１】
【発明の属する技術の分野】
この発明はエレベータの制御装置、特に昇降路内に設置される制御盤に関するものである。
【０００２】
【従来の技術】
通常、制御装置（制御装置は、かごの昇降を制御する制御盤を含む広い概念を有するもので、以下、その主要部である制御盤をその代表として述べる。）、特に制御盤は、巻上機と共に昇降路の頂部に設けられた機械室に収納される。しかし、頂部に機械室が設置されると、機械室部分の屋上が一段突出して、建物全体の外観を損なう嫌いがあることから、特に家庭用住宅内に設置されるエレベータでは、建物全体の美観の向上と省スペースの観点等から、巻上機や制御盤等を昇降路内に設置して昇降路頂部の機械室を省略するようになった。
このように、昇降路内に設置された制御装置の従来例としては、特開昭５９−１６３２７０号公報に記載のものがある。図１０は、上記特許公報に記載の制御盤と同種のものをに示す。即ち、制御盤１２は、制御機器が収納された箱体１３の開口１３ａの全面を、一体で形成され一側が箱体１３に枢着されたカバー３１によって覆われて、閉扉時はロック３１ａによって固定されている。
また、図１１において、制御盤１２は箱体１３の開口１３ａの全面を一体で形成されたカバー３２によって覆われ、このカバー３２はねじ３２ａによって箱体１３に螺着されている。
【０００３】
【発明が解決しようとする課題】
従来のエレベータの制御装置は、上記のとおり構成されているので、図１０に示すものにあっては、カバー３１を開くと昇降路内に大きく突出し、かごと干渉することがあった。このため、通常カバー３１が開いている状態ではかご４を動かさないようにカバー３１と連動した起動阻止スイッチ（図示しない。）が設けられている。しかし、実務上はかご４を運転しながら保守点検をしたり、制御盤１２内の表示を確認したい場合があるにも拘わらず、このような作業ができず、保守点検作業が制限される、という問題があった。
また、図１１に示すものにあっては、カバーの着脱はねじによるため、保守点検に時間がかかるという問題があった。また、カバーは一体で形成されているので、重いこともあり、保守点検の作業性が悪いという問題もあった。更に、昇降路内は狭いので制御盤の取付位置が制限される。このため、例えば、制御盤の上部のねじは不自然な姿勢で着脱作業をしなければならない、という問題もあった。
【０００４】
この発明は、かかる問題点を解決するためになされたものであり、保守点検作業が容易なエレベータの制御装置を提供することを目的とする。
【０００５】
【課題を解決するための手段】
この出願に係るエレベータの制御装置は、水平投影面において乗場側昇降路側壁とかごとの間で、乗場の敷居の上記かご側端部よりも上記乗場側昇降路側壁側に上記乗場の敷居と並んで配置された状態で、最下階と最上階との間の上記乗場側昇降路側壁に設けられ、上記かご側に開口を有し、内部に、上記かごの昇降を制御する制御機器が収納された箱体と、水平投影面において上記箱体と上記かごとの間に配置された状態で、上記かご側から上記箱体の上記開口を覆い、一部に、上記かご側から上記箱体内部側に貫通する小窓を有した蓋体と、水平投影面において上記かごよりも上記昇降路側壁側に配置された状態で、上記蓋体の鉛直面に沿って開閉自在に設けられ、開状態のときは、上記かご側に上記制御機器を露出させ、閉状態のときは、上記かご側から上記制御機器を覆う扉と、を備えたものである。
【０００６】
また、この出願に係るエレベータの制御装置は、扉が上下移動可能に設けられ、自重によって閉じるものである。
【０００７】
【発明の実施の形態】
実施の形態１．
図１及び図２は、この発明の実施の形態１を示す。図において、１は昇降路、２は昇降路１の側壁、３は昇降路１のピット、３ａはピット床、３ｂはかご用バッファ、４はかご、４ａはかご戸、４ｂ及び４ｃはかご４の下部両側に設けられた滑車、５は一端が綱止め６に係止されて綱車４ｂ及び４ｃに巻き掛けられてかご４を吊持する主索で、更に昇降路１の天井に取り付けられた綱車７に巻き掛けられて垂下し、巻上機８に巻き掛けられて立ち上がり、昇降路１の天井に取り付けられた綱車９に巻き掛けられて再び垂下して滑車１０ａに巻き掛けられてつり合おもり１０を吊持し、他端が昇降路１の天井に取り付けられた綱止め１１に係止されている。１２は昇降路１の正面左側の側壁２に取り付けられた制御盤、１３は制御機器が収納された箱体、１４はこの箱体１３の開口を覆う蓋体であるカバー、１４ａはこのカバー１４を箱体１３に螺着させるねじ、１５はカバー１４の一部が欠切された小窓で、保守点検に必要な制御機器が取り付けられている部位に形成されている。１６はこの小窓１５を覆う扉で、ヒンジ１６ａによって箱体１３に係止されて左右に開閉するいわゆる観音開きの構造となっており、開いた状態でもかご４と干渉することはない。Ｆ１Ｄ〜Ｆ３Ｄは１階〜３階の乗場戸である。
【０００８】
上記実施の形態１によれば、保守点検には扉１６を開閉するのみでよいので、カバー１４全体を取り外す場合に比べて作業が容易になると共に、扉１６を開放したままでも、かご４と干渉することがないので安全でもある。
【０００９】
実施の形態２．
図３は、実施の形態２を示す。図１及び図２と同符号は同一部分を示し、説明を省略する。１７は一側がヒンジを介してカバー１４に枢着されて小窓１５を自在に開閉する扉で、閉じたときは、ロック１７ａによって固定される。
この実施の形態２においても、上記実施の形態１と同様に、カバー１４全体を取り外すことなく、小窓１５を開閉することにより保守点検が可能となり、作業が容易になる。
【００１０】
実施の形態３．
図４は実施の形態３を示し、１４ｂはカバー１４に上下に形成された一対のスリット、１８はピン状の係止具１８ａをスリット１４ｂに没入させて上下動自在にカバー１４に取り付けられた扉である。
このものにあっても、カバー１４はそのままで扉１８を上げて小窓１５を開き、下げることにより閉じることができる。しかも扉１８は自重によって閉じるので閉じ忘れることがない。更に、扉は上下移動であり、突出しないのでかご４との干渉は生じ得ない。
【００１１】
実施の形態４．
図５は実施の形態４を示し、１９は上側がカバー１４に枢着された扉で、上下方向に回動して小窓１５を開閉し、閉扉状態ではロック１９ａで固定される。
このものにあっても、同様に扉１９の開閉のみで保守点検ができ、かつ、自重で閉じるので閉じ忘れることがない。
【００１２】
実施の形態５．
図６は実施の形態５を示し、箱体１３の開口を覆うカバー２０は、最上部を覆いねじ２１ａで箱体１３に螺着され上部カバー２１と、この上部カバー２１と所定距離を隔てて中間部を覆いねじ２２ａで箱体１３に螺着され中間部カバー２２と、この中間部カバー２２と所定距離を隔てて下部を覆いねじ２３ａで箱体１３に螺着され下部カバー２３とからなる。上部カバー２１と中間部カバー２２の小窓は上部カバー２１にヒンジ２４ａで枢着された上部扉２４によって覆われ、閉扉状態ではロック２４ｂによって中間部カバー２２に固定される。また、中間部カバー２２と下部カバー２３の小窓は中間部カバー２２にヒンジで枢着された下部扉２５によって覆われ、閉扉状態ではロック２５ｂによって下部カバー２３に固定される。
このものにあっても、同様に上部扉２４又は下部扉２５の開閉のみで保守点検ができ、更に、制御盤１２内を２個所に亙って広く保守点検できる。また、自重で閉じるので閉じ忘れることがない。
【００１３】
実施の形態６．
この実施の形態は、図７に示すとおり制御盤１２の取付位置についてのものであり、昇降路１の側壁２であって前壁ＦＷに制御盤１２を乗場戸ＦＤと干渉しないように左側の側壁２側に取り付けたものである。
このものにあっても、扉１７の開閉のみで保守点検ができ作業が容易となる。
【００１４】
実施の形態７．
図８において、昇降路１の前側を構成する乗場戸ＦＤの戸袋ＦＤＢを鋼板で形成し、その戸袋ＦＤＢ部分の凹所に制御盤１２を収納したものである。
このものにあっても、同様に扉１７の開閉のみで保守点検ができると共に、制御盤１２は凹所に収納されるので、かご４との干渉を避けることが容易となる。
【００１５】
実施の形態８．
上記実施の形態１から７において、例えば、実施の形態１において、昇降路１内に設置される制御盤１２は、かご４との干渉を避けるため、一般にカバー１４の小窓１５を覆う扉が開いている状態ではかご４を動かさないように扉と連動した起動阻止スイッチ（図示しない。）が設けられている。しかし、実務上はかご４を運転しながら保守点検をしたり、制御盤１２内の表示を確認したい場合がある。実施の形態８では、そうした場合を考慮してなされたものである。
図９は実施の形態８を示す。図中、図１及び図２と同符号は同一部分を示し、説明を省略する。制御盤１２は、下部を扉２６で覆われていて、保守点検時には開放される。この扉２６は、かご４が最下階Ｆ１を通り過ぎてかご４がかご用バッファ３ｂを圧縮した下降限界位置Ｌまで下降してもかご４は扉２６と干渉することはない。このため、測定器又は運転装置２７を制御盤１２に接続してかご４を運転しながら保守点検をすることができる。
また、昇降路１の最上部において、制御盤１２を扉２６がかご４と干渉しない位置に取り付けた場合でも同様である。
【００１６】
【発明の効果】
以上述べたとおり、この出願に係るエレベータの制御装置は、水平投影面において乗場側昇降路側壁とかごとの間で、乗場の敷居の上記かご側端部よりも上記乗場側昇降路側壁側に上記乗場の敷居と並んで配置された状態で、最下階と最上階との間の上記乗場側昇降路側壁に設けられ、上記かご側に開口を有し、内部に、上記かごの昇降を制御する制御機器が収納された箱体と、水平投影面において上記箱体と上記かごとの間に配置された状態で、上記かご側から上記箱体の上記開口を覆い、一部に、上記かご側から上記箱体内部側に貫通する小窓を有した蓋体と、水平投影面において上記かごよりも上記昇降路側壁側に配置された状態で、上記蓋体の鉛直面に沿って開閉自在に設けられ、開状態のときは、上記かご側に上記制御機器を露出させ、閉状態のときは、上記かご側から上記制御機器を覆う扉と、を備えたものである。
このため、保守点検は上記扉を開閉することにより行うことができ、作業性がよい、という効果を奏する。また、制御盤１２とかご４との干渉を避けることが容易となる。
【００１７】
また、この出願に係るエレベータの制御装置は、加えて扉が上下移動可能に設けられ、自重によって閉じるものとしたので、保守点検後に扉を閉じ忘れることがなく原状復帰が容易である、という効果を奏する。
【図面の簡単な説明】
【図１】  この発明の実施の形態１を示す昇降路の縦断面図。
【図２】  この発明の実施の形態１を示す昇降路の横断面図。
【図３】  この発明の実施の形態２を示す制御盤の斜視図。
【図４】  この発明の実施の形態３を示す制御盤の斜視図。
【図５】  この発明の実施の形態４を示す制御盤の斜視図。
【図６】  この発明の実施の形態５を示す制御盤の斜視図。
【図７】  この発明の実施の形態６を示す昇降路の横断面図。
【図８】  この発明の実施の形態７を示す昇降路の横断面図。
【図９】  この発明の実施の形態６を示す昇降路の縦断面図。
【図１０】  従来のエレベータの制御装置を示す斜視図。
【図１１】  従来のエレベータの制御装置を示す斜視図。
【符号の説明】
１  昇降路、  ２  側壁、  ３  ピット、  ４  かご、  ５  主策、  ８  巻上機、  １０  つり合おもり、  １２  制御盤、  １３  箱体、  １４  カバー、  １４ａ  ねじ、  １４ｂ  スリット、  １５  小窓、  １６  扉、  １７  扉、  １８  扉、  １９  扉、  ２０  カバー、  ２１  上部カバー、  ２１ａねじ、  ２２  中間部カバー、  ２２ａ  ねじ、  ２３  下部カバー、  ２３ａ  ねじ、  ２４  上部扉、  ２５  板部扉。
【図１】
0004262340.tif 000002
【図２】
0004262340.tif 000003
【図３】
0004262340.tif 000004
【図４】
0004262340.tif 000005
【図５】
0004262340.tif 000006
【図６】
0004262340.tif 000007
【図７】
0004262340.tif 000008
【図８】
0004262340.tif 000009
【図９】
0004262340.tif 000010
【図１０】
0004262340.tif 000011
【図１１】
0004262340.tif 000012